(57)【特許請求の範囲】
【請求項１】
箱状であり、内部に点灯装置が収容される電源ボックスと、
前記点灯装置によって点灯される光源を備え、かつ前記電源ボックスの、長手方向の端部のうちの一方の端部において支持される器具本体と、
前記電源ボックスの上面の、前記一方の端部の側において設けられ、かつ配線ダクトに装着されることで、前記電源ボックスを、前記配線ダクトの長手方向に沿って移動可能に支持する機械的保持部としての第１保持部と、
前記電源ボックスの上面の、前記一方の端部とは反対側の他方の端部の側において設けられ、かつ前記配線ダクトに装着されることで、前記電源ボックスを、前記配線ダクトの長手方向に沿って移動可能に支持すると共に、前記配線ダクトに収容されている前記点灯装置に電気的に接続されて前記光源に点灯電力を供給する、電気的接続部としての第２保持部と、
を備え、
前記第１保持部は、前記電源ボックスの長手方向に直交する方向に沿って両側に突出して形成される保持板を有し、
前記第２保持部は、回転可能な電極板を有し、
前記電源ボックスの長手方向が前記配線ダクトの長手方向に対して直交する状態で、前記第１保持部の前記保持板が、前記配線ダクトに挿入され、前記電源ボックスの長手方向が前記配線ダクトの長手方向と一致するように前記電源ボックスが９０度回転されることで、前記第１保持部の前記保持板が前記配線ダクトに保持され、
前記第１保持部の前記保持板は、前記配線ダクト内の空間において前記電源ボックスと一体で傾くことが可能であり、前記電源ボックスが傾くことで、前記電源ボックスの前記他方の端部を前記配線ダクトの下方に位置させることができ、これによって前記電源ボックスの長手方向を前記配線ダクトの長手方向と一致させることができ、
前記電源ボックスの長手方向が前記配線ダクトの長手方向と一致している状態において、傾いている前記電源ボックスの前記他方の端部が上方に移動されることで、前記第２保持部の前記電極板が前記配線ダクト内に挿入され、前記電極板が回転されることで、前記電極板が前記点灯装置と電気的に接続されると共に、前記第２保持部が前記配線ダクトに保持される照明器具。
【請求項２】
請求項１に記載の照明器具において、
前記第１保持部に対して前記第２保持部と反対側の前記電源ボックスの上面に傾斜面を設けた照明器具。
【請求項３】
請求項１または請求項２に記載の照明器具において、
前記第１保持部を弾性体を介して揺動可能に前記電源ボックスに取り付けた照明器具。
【請求項４】
請求項１または請求項２に記載の照明器具において、
前記第２保持部を前記電源ボックスに対して出没可能に設けた照明器具。
【発明の詳細な説明】
【技術分野】
【０００１】
本発明は、配線ダクトに沿って移動可能に支持されて例えば下方を照明する照明器具に関するものである。
【背景技術】
【０００２】
従来より、照明器具を配線ダクトに容易に取り付けるための配線ダクト用プラグが提案されている（例えば、特許文献１参照）。
図２０に示すように、特許文献１に記載の配線ダクト用プラグ１００は、配線ダクトの内部にレール状に敷設された導電体に電気的に接続する受電部１０２と、この受電部１０２を回転させるレバー１０１とを有する。
また、配線ダクト用プラグ１００の上面には、配線ダクト用プラグ１００を配線ダクトの長さ方向の任意の位置に吊下げることができる仮保持部１０３が設けられている。仮保持部１０３は、弾性部材によって常時突出する方向に付勢された突起部１０４を有する。
【０００３】
従って、配線ダクト用プラグ１００を配線ダクトに取り付ける際には、まず、仮保持部１０３にて配線ダクト用プラグ１００をダクト本体の受部に機械的に仮保持する。そして、受電部１０２を配線ダクトに挿入し、レバー１０１によって受電部１０２を回転させて、配線ダクトの内部にレール状に敷設された導電体に電気的に接続する。
これにより、照明器具を配線ダクトに容易に取付けることができる。
【０００４】
また、照明器具を配線ダクトに取り付ける際に、一方の保持部を配線ダクトに装着した後にこの保持部を回転させて他の保持部を装着する。このとき、他の保持部が配線ダクトと干渉しないように考慮した配線ダクト用プラグが提案されている（例えば、特許文献２参照）。
図２１に示すように、特許文献２に記載の配線ダクト用プラグ１１０は、プラグ本体１１１の上面に固定された固定栓刃ブロック１１２と、プラグ本体１１１の上面から出没自在の回転式栓刃ブロック１１３が設けられている。回転式栓刃ブロック１１３は、プラグ本体１１１の側面に設けられているレバー１１４の操作によって、プラグ本体１１１の上面から出没する。
【０００５】
従って、配線ダクト用プラグ１１０を配線ダクト１１５に取り付けるには、プラグ本体１１１が配線ダクト１１５に対して直交するようにして、固定栓刃ブロック１１２を配線ダクト１１５に装着する。その後、レバー１１４を下げて回転式栓刃ブロック１１３をプラグ本体１１１の上面から引っ込めて、プラグ本体１１１を回転させる。そして、レバー１１４により回転式栓刃ブロック１１３を上方へ持ち上げて配線ダクト１１５に挿入し、レバー１１４により回転式栓刃ブロック１１３を回転させて装着する。
【先行技術文献】
【特許文献】
【０００６】
【特許文献１】特開２０００−４８９２８号公報（第１図）
【特許文献２】実公平２−２８６７号公報（第３図）
【発明の概要】
【発明が解決しようとする課題】
【０００７】
しかしながら、前述したような従来の配線ダクト用プラグにおいては、構造が複雑で大型化するため、スペースおよび重量の点で改良の余地があるという問題があった。
【０００８】
本発明は、従来の問題を解決するためになされたもので、簡易な構成で、照明器具を配線ダクトに容易に取り付けることができる照明器具を提供することを目的とする。
【課題を解決するための手段】
【０００９】
本発明の照明器具は、箱状であり、内部に点灯装置が収容される電源ボックスと、前記点灯装置によって点灯される光源を備え、かつ前記電源ボックスの、長手方向の端部のうちの一方の端部において支持される器具本体と、前記電源ボックスの上面の、前記一方の端部の側において設けられ、かつ配線ダクトに装着されることで、前記電源ボックスを、前記配線ダクトの長手方向に沿って移動可能に支持する機械的保持部としての第１保持部と、前記電源ボックスの上面の、前記一方の端部とは反対側の他方の端部の側において設けられ、かつ前記配線ダクトに装着されることで、前記電源ボックスを、前記配線ダクトの長手方向に沿って移動可能に支持すると共に、前記配線ダクトに収容されている前記点灯装置に電気的に接続されて前記光源に点灯電力を供給する、電気的接続部としての第２保持部と、を備え、前記第１保持部は、前記電源ボックスの長手方向に直交する方向に沿って両側に突出して形成される保持板を有し、前記第２保持部は、回転可能な電極板を有し、前記電源ボックスの長手方向が前記配線ダクトの長手方向に対して直交する状態で、前記第１保持部の前記保持板が、前記配線ダクトに挿入され、前記電源ボックスの長手方向が前記配線ダクトの長手方向と一致するように前記電源ボックスが９０度回転されることで、前記第１保持部の前記保持板が前記配線ダクトに保持され、前記第１保持部の前記保持板は、前記配線ダクト内の空間において前記電源ボックスと一体で傾くことが可能であり、前記電源ボックスが傾くことで、前記電源ボックスの前記他方の端部を前記配線ダクトの下方に位置させることができ、これによって前記電源ボックスの長手方向を前記配線ダクトの長手方向と一致させることができ、前記電源ボックスの長手方向が前記配線ダクトの長手方向と一致している状態において、傾いている前記電源ボックスの前記他方の端部が上方に移動されることで、前記第２保持部の前記電極板が前記配線ダクト内に挿入され、前記電極板が回転されることで、前記電極板が前記点灯装置と電気的に接続されると共に、前記第２保持部が前記配線ダクトに保持されるものである。
【００１１】
また、本発明の照明器具は、前記第１保持部に対して前記第２保持部と反対側の前記電源ボックスの上面に傾斜面を設けたものである、
【００１２】
また、本発明の照明器具は、前記第１保持部を弾性体を介して揺動可能に前記電源ボックスに取り付けたものである。
【００１３】
さらに、本発明の照明器具は、前記第２保持部を前記電源ボックスに対して出没可能に設けたものである。
【発明の効果】
【００１４】
本発明は、電源ボックスの配線ダクトに沿った一方の端部に、電源ボックスを配線ダクトに移動可能に支持する第１保持部を固定して設け、電源ボックスの他方の端部には、第２保持部を回転可能に設ける。電源ボックスを配線ダクトに取り付ける際には、まず、電源ボックスが配線ダクトの長手方向に対して直交する位置において第１保持部を配線ダクトに挿入し、次いで、第１保持部を中心として電源ボックスを配線ダクトの長手方向へ回転させるとともに第２保持部を挿入方向へ回転させて配線ダクトに挿入する。この際、第２保持部が配線ダクトに干渉しないように回避手段を設けたので、簡易な構成で電源ボックスを配線ダクトに容易に取り付けることができるという効果を有する照明器具を提供できる。
【図面の簡単な説明】
【００１５】
【図１】本発明に係る第１実施形態の照明器具の斜視図
【図２】図１中ＩＩ方向から見た側面図
【図３】図２中ＩＩＩ−ＩＩＩ位置の断面図
【図４】（Ａ）は機械的保持部を配線ダクトに装着する状態を示す平面図であり、（Ｂ）は（Ａ）中Ｂ方向から見た側面図
【図５】（Ａ）は電気的接続部を配線ダクトに装着する状態を示す平面図であり、（Ｂ）は（Ａ）中Ｂ方向から見た側面図
【図６】図５中ＶＩ部分の拡大図
【図７】（Ａ）は電源ボックスを配線ダクトに装着した状態を示す平面図であり、（Ｂ）は（Ａ）中Ｂ方向から見た側面図
【図８】本発明に係る第２実施形態の照明器具の斜視図
【図９】（Ａ）は電源ボックスを装着した状態を示す断面図であり、（Ｂ）は電源ボックスを装着する途中の状態を示す断面図
【図１０】（Ａ）は機械的保持部を配線ダクトに装着する状態を示す平面図であり、（Ｂ）は（Ａ）中Ｂ方向から見た側面図
【図１１】（Ａ）は電気的接続部を配線ダクトに装着する状態を示す平面図であり、（Ｂ）は（Ａ）中Ｂ方向から見た側面図
【図１２】図１１中ＸＩＩ部分の拡大図
【図１３】（Ａ）は電源ボックスを配線ダクトに装着した状態を示す平面図であり、（Ｂ）は（Ａ）中Ｂ方向から見た側面図
【図１４】本発明に係る第３実施形態の照明器具の斜視図
【図１５】本発明に係る第３実施形態の照明器具において電気的接続部を押し下げた状態の斜視図
【図１６】図１５中ＸＶＩ−ＸＶＩ位置の断面図
【図１７】（Ａ）は機械的保持部を配線ダクトに装着する状態を示す平面図であり、（Ｂ）は（Ａ）中Ｂ方向から見た側面図
【図１８】（Ａ）は電気的接続部を配線ダクトに装着する状態を示す平面図であり、（Ｂ）は（Ａ）中Ｂ方向から見た側面図
【図１９】（Ａ）は電源ボックスを配線ダクトに装着した状態を示す平面図であり、（Ｂ）は（Ａ）中Ｂ方向から見た側面図
【図２０】従来の照明器具における配線ダクト用プラグの斜視図
【図２１】従来の別の照明器具における配線ダクト用プラグの斜視図
【発明を実施するための形態】
【００１６】
（第１実施形態）
以下、本発明に係る第１実施形態の照明器具について、図面を用いて説明する。
図１および図２に示すように、本発明に係る第１実施形態の照明器具１０は、例えば天井等の被取付部に取付けられている配線ダクト１１に移動可能に取付けて、照明方向を変えることができるスポットライトとして使用することができる。
照明器具１０は、内部に光源２１を有する器具本体２０と、器具本体２０を支持するとともに配線ダクト１１に移動可能に取り付けられる電源ボックス３０とを有する。器具本体２０は、電源ボックス３０の下面前端部に旋回可能に設けられた全体コ字形状のアーム２２により、上下方向および水平方向に回動可能に支持されている。
従って、器具本体２０は、上下左右いずれの方向にも光を照射できる。
【００１７】
電源ボックス３０は全体矩形箱状をしており、内部には光源２１を点灯させるための点灯装置等が収容されている。
電源ボックス３０の上面３０１の一方の端部である前端部には、電源ボックス３０を配線ダクト１１に移動可能に支持する第１保持部としての機械的保持部３１が、固定して設けられている。
図３に示すように、機械的保持部３１では、保持板３１１が、左右に突出する状態で、ネジ３１２により電源ボックス３０の上面３０１に固定されている。保持板３１１は、電源ボックス３０の長手方向に直交する方向に張り出して固定されており、装着状態において、配線ダクト１１の開口１２（図３参照）の両側のガイド部１５に保持される。
【００１８】
また、電源ボックス３０の上面３０１の他方の端部である後端部には、電源ボックス３０を配線ダクト１１に移動可能に支持するとともに、配線ダクト１１を介して点灯電力の供給を受ける第２保持部としての電気的接続部３２が設けられている。電気的接続部３２は、一対の電極板３２１、３２２を有しており、電極板３２１、３２２は、各々配線ダクト１１内部に設けられているレール状電極板１３、１４（図３参照）に接触して、電力の供給を受ける。電極３２１、３２２は回転軸３２３回りに回転可能に支持されており、レバー３２４により回転可能となっている。
なお、電極３２１、３２２およびレバー３２４は、受電状態である電極３２１、３２２が電源ボックス３０の長手方向に直交する状態では、容易に回転しないように、ロック手段を設けるのが望ましい。
【００１９】
図２に示すように、電源ボックス３０の上面３０１において、機械的保持部３１に対して電気的接続部３２と反対側（すなわち、図２において左側）に、電気的接続部３２が配線ダクト１１と干渉するのを回避する回避手段として傾斜面３０２を設けた。
すなわち、電源ボックス３０の上面３０１は、機械的保持部３１の前側において、下方に傾斜している。
【００２０】
次に、照明器具１０を配線ダクト１１に取り付ける作業について説明する。
前述したように、機械的保持部３１の保持板３１１は、その長手方向が、電源ボックス３０の長手方向に直交する方向に固定されている。このため、まず、図４（Ａ）に示すように、電源ボックス３０の長手方向が、機械的保持部３１を中心として配線ダクト１１に直交するようにして、そして、保持板３１１を開口１２から配線ダクト１１の内部に挿入する。
その後、電源ボックス３０を図４（Ａ）中矢印Ａ方向に９０度回転させて、保持板３１１を配線ダクト１１のガイド部１５に引っ掛ける。
なお、機械的保持部３１の装着時には、電気的接続部３２においては、レバー３２４を回転させて、電極板３２１、３２２が電源ボックス３０の長手方向に沿う方向に回転させておく。
【００２１】
次に、図５に示すように、電気的接続部３２を配線ダクト１１に装着する。電気的接続部３２は、電源ボックス３０の上面３０１から上方に突出しているので、電気的接続部３２が配線ダクト１１に干渉しないように、電源ボックス３０の電気的接続部３２側を配線ダクト１１から遠ざかる方向（すなわち、下方）へ傾ける（図５（Ｂ）中矢印Ｃ参照）。
電源ボックス３０の上面３０１における機械的保持部３１の前側には、傾斜面３０２が設けられているので、電源ボックス３０は容易に傾けることができる。
このとき、図６に示すように、機械的保持部３１の保持板３１１は、電源ボックス３０と一体で傾き、配線ダクト１１のガイド部１５の上側の空間１６で傾く。
【００２２】
次いで、図７に示すように、電源ボックス３０を配線ダクト１１側へ回転させて（図７（Ｂ）中矢印Ｃ参照）、電気的接続部３２の電極板３２１、３２２を配線ダクト１１の開口１２から挿入する。そして、レバー３２４を図７（Ａ）中矢印Ａ方向へ回転させて、電極板３２１、３２２を配線ダクト１１のレール状電極板１３、１４（図３参照）に接触させて、完了する。
【００２３】
以上、説明した本発明に係る第１実施形態の照明器具１０によれば、内部に光源２１を有する器具本体２０は、配線ダクト１１に移動可能に取り付けられる電源ボックス３０に支持されて、光源２１を点灯させる。
電源ボックス３０では、配線ダクト１１に沿った前端部に、電源ボックス３０を配線ダクト１１に移動可能に支持する機械的保持部３１が、固定して設けられている。また、電源ボックス３０の後端部には、電気的接続部３２が回転可能に設けられている。
【００２４】
そして、電源ボックス３０を配線ダクト１１に取り付ける際には、まず、電源ボックス３０が配線ダクト１１の長手方向に対して直交する位置において機械的保持部３１を配線ダクト１１に挿入する。その後、機械的保持部３１を中心として電源ボックス３０を配線ダクト１１の長手方向へ回転させるとともに電気的接続部３２を挿入方向へ回転させて配線ダクト１１に挿入する。
この際、電気的接続部３２が配線ダクト１１に干渉しないように回避手段（傾斜面３０２）を設けたので、簡易な構成で電源ボックス３０を配線ダクト１１に容易に取り付けることができる。
【００２５】
また、第１保持部として機械的保持部３１を設けたので、電源ボックス３０の前端を配線ダクト１１に保持することができる。また、第２保持部として電気的接続部３２を設けたので、電源ボックス３０の後端を配線ダクト１１に保持するとともに、配線ダクト１１から電力の供給を受けて、光源２１を点灯させることができる。
【００２６】
さらに、回避手段として、機械的保持部３１に対して電気的接続部３２と反対側の電源ボックス３０の上面３０１に傾斜面３０２を設けたので、電源ボックス３０の電気的接続部３２側を配線ダクト１１から遠ざかる方向へ回動させることができる。このため、機械的保持部３１を中心として電源ボックス３０を回転させる際に、電気的接続部３２と配線ダクト１１との干渉を回避することができ、電気的接続部３２を配線ダクト１１に容易に挿入することができる。
【００２７】
（第２実施形態）
次に、本発明に係る第２実施形態の照明器具について説明する。
なお、前述した第１実施形態に係る照明器具１０と共通する部位には同じ符号を付して、重複する説明を省略することとする。
図８に示すように、本発明に係る第２実施形態の照明器具１０Ｂでは、機械的保持部３１Ｂを、回避手段である弾性体３３（図１２参照）により揺動可能（図９（Ａ）中矢印Ａ方向）に電源ボックス３０の上面に取り付けた。
【００２８】
すなわち、ネジ３１２で取り付けられる保持板３１１は、弾性体３３の変形により、電源ボックス３０に対して揺動可能となる。なお、ここでは、断面Ｌ字形状の鋼板により弾性体３３を構成したが、これに限るものではない。
その他の構成は、前述した第１実施形態にかかる照明器具１０と同様である。
【００２９】
次に、照明器具１０Ｂを配線ダクト１１に取り付ける作業について説明する。
まず、図１０（Ａ）に示すように、電源ボックス３０の長手方向が、機械的保持部３１Ｂを中心として配線ダクト１１に直交するようにして、保持板３１１が配線ダクト１１の開口１２から挿入できるように位置決めする。そして、機械的保持部３１Ｂの保持板３１１を開口１２から配線ダクト１１の内部に挿入する。
その後、電源ボックス３０を図１０（Ａ）中矢印Ａ方向に９０度回転させて、機械的保持部３１Ｂの保持板３１１を配線ダクト１１のガイド部１５に引っ掛ける。
なお、機械的保持部３１Ｂの装着時には、電気的接続部３２においては、レバー３２４を回転させて、電極板３２１、３２２が電源ボックス３０の長手方向に沿う方向に回転させておく。
【００３０】
次に、図１１に示すように、電気的接続部３２を配線ダクト１１に装着する。電気的接続部３２は、電源ボックス３０の上面３０１から上方に突出しているので、電気的接続部３２が配線ダクト１１に干渉しないように、電源ボックス３０の電気的接続部３２側を配線ダクト１１から遠ざかる方向（すなわち、下方）へ傾ける（図１１（Ｂ）中矢印Ｃ参照）。
このとき、機械的保持部３１Ｂは、弾性体３３を介して電源ボックス３０に取り付けられているので、電源ボックス３０を下方へ回動させると、図１２に示すように、弾性体３３が電源ボックス３０の上面３０１に対して、相対的に角度θだけ変形する。これにより、電源ボックス３０は下方へ容易に傾けることができる。
【００３１】
次いで、図１３に示すように、電源ボックス３０を配線ダクト１１側へ回転させて（図１３（Ｂ）中矢印Ｃ参照）、電気的接続部３２の電極板３２１、３２２を配線ダクト１１の開口１２から挿入する。そして、レバー３２４を、図１３（Ａ）中矢印Ａ方向へ回転させて、電極板３２１、３２２を配線ダクト１１のレール状電極板１３、１４（図３参照）に接触させて、完了する。
【００３２】
以上、説明した本発明に係る第２実施形態の照明器具１０Ｂによれば、回避手段として、機械的保持部３１Ｂを弾性体３３を介して揺動可能に電源ボックス３０に取り付けた。これにより、弾性体３３を変形させて電源ボックス３０の電気的接続部３２側を配線ダクト１１から遠ざかる方向へ回動させることができる。
このため、機械的保持部３１Ｂを中心として電源ボックス３０を回転させる際に、電気的接続部３２と配線ダクト１１との干渉を回避することができ、電気的接続部３２を配線ダクト１１に容易に挿入することができる。
【００３３】
（第３実施形態）
次に、本発明に係る第３実施形態の照明器具について説明する。
なお、前述した第１実施形態に係る照明器具１０および第２実施形態に係る照明器具１０Ｂと共通する部位には同じ符号を付して、重複する説明を省略することとする。
図１４および図１５に示すように、本発明に係る第３実施形態の照明器具１０Ｃでは、回避手段として、電気的接続部３２Ｃを、電源ボックス３０の上面３０１に対して出没可能に設けた。
すなわち、図１６にも示すように、電気的接続部３２Ｃの電極板３２１、３２２およびレバー３２４を、一体で上下移動可能に設け、レバー３２４を押し下げることにより、電極板３２１、３２２を引き下げ可能とした。
なお、機械的保持部３１は、単に電源ボックス３０の上面３０１に固定されている。また、機械的保持部３１として、第１実施形態にかかる照明器具１０の機械的保持部３１と同様の構造とすることができる。さらに、第２実施形態に係る照明器具１０Ｂと同じ構造とすることも可能である。
【００３４】
次に、照明器具１０Ｃを配線ダクト１１に取り付ける作業について説明する。
まず、図１７（Ａ）に示すように、電源ボックス３０の長手方向が、機械的保持部３１を中心として配線ダクト１１に直交するようにして、保持板３１１が配線ダクト１１の開口１２から挿入できるように位置決めする。そして、機械的保持部３１の保持板３１１を開口１２から配線ダクト１１の内部に挿入する。
その後、電源ボックス３０を図１７（Ａ）中矢印Ａ方向に９０度回転させて、機械的保持部３１の保持板３１１を配線ダクト１１のガイド部１５に引っ掛ける。
【００３５】
なお、機械的保持部３１の装着時には、電気的接続部３２Ｃにおいては、レバー３２４を回転させるとともに引き下げて、電極板３２１、３２２が電源ボックス３０の長手方向に沿う方向に回転させた状態で、電源ボックス３０の内部に収容しておく。
【００３６】
次に、図１８に示すように、電気的接続部３２Ｃを配線ダクト１１に装着する。電気的接続部３２Ｃは、前述したように、電源ボックス３０の内部に収容しているので、配線ダクト１１に干渉しない。これにより、電源ボックス３０を配線ダクト１１の下方に位置決めできる。
【００３７】
次いで、図１９に示すように、電気的接続部３２Ｃのレバー３２４を上げて電極板３２１、３２２を配線ダクト１１の開口１２から挿入する。そして、レバー３２４を、図１９（Ａ）中矢印Ｃ方向へ回転させて、電極板３２１、３２２を配線ダクト１１のレール状電極板１３、１４（図３参照）に接触させて、完了する。
【００３８】
以上、説明した本発明に係る第３実施形態の照明器具１０Ｃによれば、回避手段として、電気的接続部３２Ｃを電源ボックス３０に対して出没可能に設けたので、電気的接続部３２Ｃを電源ボックス３０に押し込むことができる。
このため、機械的保持部３１を中心として電源ボックス３０を回転させる際に、電気的接続部３２Ｃと配線ダクト１１との干渉を回避することができ、電気的接続部３２Ｃを配線ダクト１１に容易に挿入することができる。
【００３９】
なお、本発明の照明器具は、前述した各実施形態に限定されるものでなく、適宜な変形，改良等が可能である。
例えば、前述した各実施形態において説明した各回避手段を併用することも可能である。
【符号の説明】
【００４０】
１０、１０Ｂ、１０Ｃ  照明器具
１１  配線ダクト
２０  器具本体
２１  光源
３０  電源ボックス
３０１  上面
３０２  傾斜面（回避手段）
３１、３１Ｂ  機械的保持部（第１保持部）
３２、３２Ｃ  電気的接続部（第２保持部）
３３  弾性体（回避手段）
【図１】
0005853129.tif 000002
【図２】
0005853129.tif 000003
【図３】
0005853129.tif 000004
【図４】
0005853129.tif 000005
【図５】
0005853129.tif 000006
【図６】
0005853129.tif 000007
【図７】
0005853129.tif 000008
【図８】
0005853129.tif 000009
【図９】
0005853129.tif 000010
【図１０】
0005853129.tif 000011
【図１１】
0005853129.tif 000012
【図１２】
0005853129.tif 000013
【図１３】
0005853129.tif 000014
【図１４】
0005853129.tif 000015
【図１５】
0005853129.tif 000016
【図１６】
0005853129.tif 000017
【図１７】
0005853129.tif 000018
【図１８】
0005853129.tif 000019
【図１９】
0005853129.tif 000020
【図２０】
0005853129.tif 000021
【図２１】
0005853129.tif 000022